(57)【特許請求の範囲】
【請求項１】
タッチパネルディスプレイを備え、該タッチパネルディスプレイにおける入力操作に対応する信号をカラオケ装置へ送信するカラオケ用入力装置であって、
操作ボタンを前記タッチパネルディスプレイに表示させる操作ボタン表示制御手段と、
前記タッチパネルディスプレイにおいて、前記操作ボタンに対して所定時間以上継続する接触操作が行われた場合には、前記操作ボタンに対応する信号を前記カラオケ装置へ送信可能な状態を成立させるダイレクト送信制御手段と、
前記タッチパネルディスプレイにおいて、前記操作ボタンに対して前記所定時間未満の接触操作が行われた場合には、前記操作ボタンに対応する信号を前記カラオケ装置へ送信するか否かを確認する確認画面を前記タッチパネルディスプレイに表示させる表示制御手段とを、備え、
前記表示制御手段は、前記操作ボタンに対して所定時間以上継続する接触操作が行われた場合には、前記操作ボタンの表示態様を変更し、
前記ダイレクト送信制御手段は、前記タッチパネルディスプレイにおいて、前記操作ボタンに対して所定時間以上継続する接触操作が行われ、且つ該操作に継続して前記操作ボタンに対する接触を維持したまま前記操作ボタンを所定の方向へスライド移動させる操作が行われた場合には、前記操作ボタンに対応する信号を前記カラオケ装置へ送信するものである
ことを特徴とするカラオケ用入力装置。
【請求項２】
前記ダイレクト送信制御手段は、複数の前記操作ボタンの選択を受け付けられた状態において、選択された複数の前記操作ボタンのうちいずれかの操作ボタンに対して所定時間以上継続する接触操作が行なわれた場合には、それら複数の前記操作ボタンに対応する信号を前記カラオケ装置へ送信可能な状態を成立させる
ことを特徴とする請求項１に記載のカラオケ用入力装置。
【請求項３】
タッチパネルディスプレイを備え、該タッチパネルディスプレイにおける入力操作に対応する信号をカラオケ装置へ送信するカラオケ用入力装置に備えられたコンピュータを、
操作ボタンを前記タッチパネルディスプレイに表示させる操作ボタン表示制御手段、
前記タッチパネルディスプレイにおいて、前記操作ボタンに対して所定時間以上継続する接触操作が行われた場合には、前記操作ボタンに対応する信号を前記カラオケ装置へ送信可能な状態を成立させるダイレクト送信制御手段、
及び、前記タッチパネルディスプレイにおいて、前記操作ボタンに対して前記所定時間未満の接触操作が行われた場合には、前記操作ボタンに対応する信号を前記カラオケ装置へ送信するか否かを確認する確認画面を前記タッチパネルディスプレイに表示させる表示制御手段として機能させ、
前記表示制御手段は、前記操作ボタンに対して所定時間以上継続する接触操作が行われた場合には、前記操作ボタンの表示態様を変更し、
前記ダイレクト送信制御手段は、前記タッチパネルディスプレイにおいて、前記操作ボタンに対して所定時間以上継続する接触操作が行われ、且つ該操作に継続して前記操作ボタンに対する接触を維持したまま前記操作ボタンを所定の方向へスライド移動させる操作が行われた場合には、前記操作ボタンに対応する信号を前記カラオケ装置へ送信するものである
ことを特徴とするプログラム。
【発明の詳細な説明】
【技術分野】
【０００１】
本発明は、タッチパネルディスプレイを備えたカラオケ用入力装置及びプログラムに関し、特に、誤動作を抑制しつつ入力操作に係る画面遷移を低減するための改良に関する。
【背景技術】
【０００２】
多数の楽曲のうちから選択される所定の楽曲を出力させるカラオケ装置が知られている。斯かるカラオケ装置の遠隔入力装置として、タッチパネルディスプレイを備え、そのタッチパネルディスプレイにおける入力操作に対応する信号をカラオケ装置へ送信するカラオケ用入力装置が知られている。この技術によれば、前記タッチパネルディスプレイに表示される映像を参照しつつ、利用者の指や備え付けのペン等によりそのタッチパネルディスプレイに接触（タッチ入力）することにより簡便に前記カラオケ装置への入力を行うことができる。
【０００３】
前記カラオケ用入力装置による操作時間を短縮し、利用者に少しでも多くの時間をカラオケ演奏に使ってもらうためには、前記カラオケ用入力装置の入力操作に係る画面遷移を減らすことが求められる。そこで、カラオケ用入力装置の入力操作に係る画面遷移を減らす技術が提案されている。例えば、特許文献１に記載された選曲リモコン装置がその一例である。この技術では、前記カラオケ用入力装置を用いた楽曲の選曲操作において、前記タッチパネルディスプレイに複数の楽曲リストを表示させ、何れかの楽曲を選択する操作が行われた場合に、前記カラオケ装置に対して楽曲の選曲入力を行う。これにより、前記タッチパネルディスプレイに表示された楽曲を選択する操作が行われた場合に、その楽曲の選曲入力を行うか否かの確認画面を表示させる態様に比べて画面遷移を減らすことができる。
【先行技術文献】
【特許文献】
【０００４】
【特許文献１】特開２００３−１４０６６６号公報
【発明の概要】
【発明が解決しようとする課題】
【０００５】
しかしながら、前記従来の技術のように、前記タッチパネルディスプレイに表示された楽曲を選択する操作が行われた場合に、その楽曲の選曲入力を行うか否かの確認画面を表示させることなく楽曲の選曲入力を行う態様では、利用者が意図せず前記楽曲の選曲入力を行った場合にその楽曲が選曲入力されてしまい、利用者にとって誤動作となるおそれがあった。すなわち、誤動作を抑制しつつ入力操作に係る画面遷移を低減する技術は、未だ提供されていないのが現状である。
【０００６】
本発明は、以上の事情を背景として為されたものであり、その目的とするところは、誤動作を抑制しつつ入力操作に係る画面遷移を低減するカラオケ用入力装置及びプログラムを提供することにある。
【課題を解決するための手段】
【０００７】
斯かる目的を達成するために、本第１発明の要旨とするところは、タッチパネルディスプレイを備え、そのタッチパネルディスプレイにおける入力操作に対応する信号をカラオケ装置へ送信するカラオケ用入力装置であって、操作ボタンを前記タッチパネルディスプレイに表示させる操作ボタン表示制御手段と、前記タッチパネルディスプレイにおいて、前記操作ボタンに対して所定時間以上継続する接触操作が行われた場合には、前記操作ボタンに対応する信号を前記カラオケ装置へ送信可能な状態を成立させるダイレクト送信制御手段と、前記タッチパネルディスプレイにおいて、前記操作ボタンに対して前記所定時間未満の接触操作が行われた場合には、前記操作ボタンに対応する信号を前記カラオケ装置へ送信するか否かを確認する確認画面を前記タッチパネルディスプレイに表示させる表示制御手段とを、備え、前記表示制御手段は、前記操作ボタンに対して所定時間以上継続する接触操作が行われた場合には、前記操作ボタンの表示態様を変更し、前記ダイレクト送信制御手段は、前記タッチパネルディスプレイにおいて、前記操作ボタンに対して所定時間以上継続する接触操作が行われ、且つ該操作に継続して前記操作ボタンに対する接触を維持したまま前記操作ボタンを所定の方向へスライド移動させる操作が行われた場合には、前記操作ボタンに対応する信号を前記カラオケ装置へ送信するものであることにある。
【発明の効果】
【０００８】
前記第１発明によれば、操作ボタンを前記タッチパネルディスプレイに表示させる操作ボタン表示制御手段と、前記タッチパネルディスプレイにおいて、前記操作ボタンに対して所定時間以上継続する接触操作が行われた場合には、前記操作ボタンに対応する信号を前記カラオケ装置へ送信可能な状態を成立させるダイレクト送信制御手段と、前記タッチパネルディスプレイにおいて、前記操作ボタンに対して前記所定時間未満の接触操作が行われた場合には、前記操作ボタンに対応する信号を前記カラオケ装置へ送信するか否かを確認する確認画面を前記タッチパネルディスプレイに表示させる表示制御手段とを、備え、前記表示制御手段は、前記操作ボタンに対して所定時間以上継続する接触操作が行われた場合には、前記操作ボタンの表示態様を変更し、前記ダイレクト送信制御手段は、前記タッチパネルディスプレイにおいて、前記操作ボタンに対して所定時間以上継続する接触操作が行われ、且つ該操作に継続して前記操作ボタンに対する接触を維持したまま前記操作ボタンを所定の方向へスライド移動させる操作が行われた場合には、前記操作ボタンに対応する信号を前記カラオケ装置へ送信するものである。このことから、利用者の意図を反映する所謂長押し操作が行われたか否かに応じて、前記確認画面を表示させることなく入力操作に対応する信号の送信を行う制御及び前記確認画面を表示させて入力操作に対応する信号を送信するか否かを確認する制御の何れかを選択的に実行することができる。これにより、利用者の意図しない操作に対応する信号が前記カラオケ装置へ送信されることを抑制できる。すなわち、誤動作を抑制しつつ入力操作に係る画面遷移を低減するカラオケ用入力装置を提供することができる。また、前記表示制御手段は、前記操作ボタンに対して所定時間以上継続する接触操作が行われた場合には、前記操作ボタンの表示態様を変更し、前記ダイレクト送信制御手段は、前記タッチパネルディスプレイにおいて、前記操作ボタンに対して所定時間以上継続する接触操作が行われ、且つその操作に継続して前記操作ボタンに対する接触を維持したまま前記操作ボタンを所定の方向へスライド移動させる操作が行われた場合には、前記操作ボタンに対応する信号を前記カラオケ装置へ送信するものであるので、利用者にダイレクト送信可能であることを認識させ、利用者により前記操作ボタンに対する所謂長押しが行われた後は、直感的な操作によりその操作に対応する信号を前記カラオケ装置へ送信することができる。
【０００９】
前記第１発明において、好適には、前記ダイレクト送信制御手段は、複数の前記操作ボタンの選択を受け付けられた状態において、選択された複数の前記操作ボタンのうちいずれかの操作ボタンに対して所定時間以上継続する接触操作が行なわれた場合には、それら複数の前記操作ボタンに対応する信号を前記カラオケ装置へ送信可能な状態を成立させる。これにより、前記複数の操作ボタンに対応する楽曲の選曲暗号が前記カラオケ装置へ一挙に送信される。
【００１３】
前記目的を達成するために、本第２発明の要旨とするところは、タッチパネルディスプレイを備え、そのタッチパネルディスプレイにおける入力操作に対応する信号をカラオケ装置へ送信するカラオケ用入力装置に備えられたコンピュータを、操作ボタンを前記タッチパネルディスプレイに表示させる操作ボタン表示制御手段、前記タッチパネルディスプレイにおいて、前記操作ボタンに対して所定時間以上継続する接触操作が行われた場合には、前記操作ボタンに対応する信号を前記カラオケ装置へ送信可能な状態を成立させるダイレクト送信制御手段、及び、前記タッチパネルディスプレイにおいて、前記操作ボタンに対して前記所定時間未満の接触操作が行われた場合には、前記操作ボタンに対応する信号を前記カラオケ装置へ送信するか否かを確認する確認画面を前記タッチパネルディスプレイに表示させる表示制御手段として機能させ、前記表示制御手段は、前記操作ボタンに対して所定時間以上継続する接触操作が行われた場合には、前記操作ボタンの表示態様を変更し、前記ダイレクト送信制御手段は、前記タッチパネルディスプレイにおいて、前記操作ボタンに対して所定時間以上継続する接触操作が行われ、且つ該操作に継続して前記操作ボタンに対する接触を維持したまま前記操作ボタンを所定の方向へスライド移動させる操作が行われた場合には、前記操作ボタンに対応する信号を前記カラオケ装置へ送信するものであることを特徴とするプログラムである。このようにすれば、利用者の意図を反映する所謂長押し操作が行われたか否かに応じて、前記確認画面を表示させることなく入力操作に対応する信号の送信を行う制御及び前記確認画面を表示させて入力操作に対応する信号を送信するか否かを確認する制御の何れかを選択的に実行することができる。これにより、利用者の意図しない操作に対応する信号が前記カラオケ装置へ送信されることを抑制できる。すなわち、誤動作を抑制しつつ入力操作に係る画面遷移を低減するプログラムを提供することができる。また、前記表示制御手段は、前記操作ボタンに対して所定時間以上継続する接触操作が行われた場合には、前記操作ボタンの表示態様を変更し、前記ダイレクト送信制御手段は、前記タッチパネルディスプレイにおいて、前記操作ボタンに対して所定時間以上継続する接触操作が行われ、且つその操作に継続して前記操作ボタンに対する接触を維持したまま前記操作ボタンを所定の方向へスライド移動させる操作が行われた場合には、前記操作ボタンに対応する信号を前記カラオケ装置へ送信するものであるので、利用者にダイレクト送信可能であることを認識させ、利用者により前記操作ボタンに対する所謂長押しが行われた後は、直感的な操作によりその操作に対応する信号を前記カラオケ装置へ送信することができる。
【図面の簡単な説明】
【００１４】
【図１】本発明のカラオケ用入力装置が好適に用いられるカラオケ装置の構成を例示するブロック線図である。
【図２】本発明の一実施例であるカラオケ用入力装置の構成を例示するブロック線図である。
【図３】図２のカラオケ用入力装置のＣＰＵに備えられた制御機能の要部を例示する機能ブロック線図である。
【図４】図２のカラオケ用入力装置のタッチパネルディスプレイに表示された、各種操作ボタンを含む画面を例示する図である。
【図５】図２のカラオケ用入力装置のタッチパネルディスプレイに表示された、複数の選曲入力ボタンを含む画面を例示している。
【図６】図５に示す画面において、タッチパネルに対する接触部位の移動に伴って、その接触に係る選曲入力ボタンを移動させる状態を説明する図である。
【図７】図６に示す画面において、選曲入力ボタンに対する接触を維持したままその選曲入力ボタンを所定の方向へスライド移動させる操作が行われた場合について説明する図である。
【図８】図５に示す選曲入力ボタンに対して所定時間未満の接触操作が行われた場合に、タッチパネルディスプレイに表示される確認画面を例示する図である。
【図９】図２のカラオケ用入力装置のＣＰＵにより実行される本実施例の表示制御及び送信制御の一例の要部を説明するフローチャートである。
【発明を実施するための形態】
【００１５】
以下、本発明の好適な実施例を図面に基づいて詳細に説明する。
【実施例】
【００１６】
図１は、本発明のカラオケ用入力装置が好適に用いられるカラオケ装置１０の構成を例示するブロック線図である。図１に示すように、前記カラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、表示制御部２６及び入力制御部２８を介して前記ＣＰＵ１２に接続されたタッチパネルディスプレイ３０と、ＬＡＮインターフェイス３６と、ビデオ出力端子３８を介して前記映像処理部２０に接続された映像表示装置であるディスプレイ４０と、オーディオ入力端子４２を介して前記音声処理部２２に接続された音声入力装置であるマイクロフォン４４と、オーディオ出力端子４６を介して前記音声処理部２２に接続された音声増幅装置であるアンプ４８と、そのアンプ４８に備えられた音声出力装置であるスピーカ５０とを、備えて構成されている。
【００１７】
前記ＣＰＵ１２は、前記ＲＡＭ１６の一時記憶機能を利用しつつ前記ＲＯＭ１４に予め記憶された所定のプログラムに基づいて電子情報を処理・制御する所謂マイクロコンピュータであり、前記カラオケ装置１０における各種制御を実行する。すなわち、前記操作パネル２４、タッチパネルディスプレイ３０、或いは後述するカラオケ用入力装置６０等により所定の楽曲（カラオケ演奏曲）が選曲入力された場合、その選曲入力された楽曲を前記ＲＡＭ１６等に設けられた予約曲テーブルに登録する選曲予約制御、その予約曲テーブルの演奏順に従って前記ハードディスク１８から前記ＲＡＭ１６に選曲されたカラオケ演奏曲の演奏情報及び歌詞情報（楽曲情報）を読み出す楽曲情報読出制御、楽曲の演奏進行に応じてそのＲＡＭ１６から前記音声処理部２２へ演奏情報を送信する演奏出力制御、その演奏出力制御に際して前記ＲＡＭ１６に展開された歌詞情報に基づいて歌詞文字映像を生成して前記映像処理部２０へ送信する歌詞文字映像出力制御、前記演奏出力制御に際して前記映像処理部２０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御を実行する。
【００１８】
前記映像処理部２０は、前記ディスプレイ４０に表示される画面（映像）の描画に係る各種制御を行う。例えば、前記ＣＰＵ１２から供給されるデータに基づいてグラフィックスメモリにそのデータを書き込み、そのデータを読み出すことによって前記ビデオ出力端子３８を介して前記ディスプレイ４０に所定の画面を表示させる制御を行う。具体的には、前記カラオケ装置１０による楽曲の演奏出力（カラオケ演奏）に際して、前記ＣＰＵ１２において生成された歌詞文字映像等の文字映像（テロップ）を出力させたり、前記ハードディスク１８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ４０に表示させたり、その歌詞文字映像を前記楽曲の演奏進行に応じて順次色替わり表示させる等の各種表示制御を行う。
【００１９】
前記音声処理部２２は、ＦＭ音源やＰＣＭ音源等の各種音源を備え、前記カラオケ装置１０による音声出力に係る各種制御を行う。好適には、電子回路により音を合成し、各種音色を発生させるシンセサイザ（synthesizer）を備えている。このシンセサイザは、前記ハードディスク１８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン４４から前記オーディオ入力端子４２を介して入力される利用者（演奏者）の歌声とミキシングされ、前記オーディオ出力端子４６を介して前記アンプ４８に供給されてそのアンプ４８により増幅されて前記スピーカ５０から出力される。
【００２０】
前記操作パネル２４は、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。前記タッチパネルディスプレイ３０は、画像（映像）を表示させると共に利用者の操作に応じて前記カラオケ装置１０への操作入力を行う装置であり、そのタッチパネルディスプレイ３０に所定の画像（映像）を表示させる表示装置３２と、利用者の指や図示しない備え付けのペン等による前記タッチパネルディスプレイ３０への接触により入力を行うタッチパネル３４とを、備えている。前記表示制御部２６は、前記ＣＰＵ１２から供給される情報に基づいて前記表示装置３２に表示される画面（映像）の描画を制御する映像処理部である。前記入力制御部２８は、前記タッチパネル３４により入力される操作入力情報を前記ＣＰＵ１２等に供給する入力処理部である。以上の構成を備えていることで、前記タッチパネルディスプレイ３０は、前記ディスプレイ４０とは別に第２の映像表示装置として機能すると共に、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２１】
前記ハードディスク１８には、楽曲データベースをはじめとする各種データベースが設けられている。前記楽曲データベースは、前記カラオケ装置１０により前記楽曲の演奏出力（カラオケ演奏）を行うための多数（例えば、数万曲）の楽曲情報（カラオケデータ）を記憶する。前記カラオケ装置１０において出力される各楽曲に対応して前記楽曲データベースに記憶された楽曲情報は、例えば、メタデータ、演奏情報としてのＭＩＤＩデータ、及び歌詞情報としてのテロップデータを含んでいる。このメタデータは、例えば、各楽曲情報の識別情報としての曲番号（選曲番号）、曲名、歌手名、登録日時等の情報を含んでいる。前記テロップデータは、前記映像処理部２０を介して各楽曲の歌詞文字映像表示制御を行うための情報であり、例えば、前記楽曲情報に対応する楽曲（演奏曲）の歌詞を複数に区分した各区分に相当するブロックデータを含んでいる。前記ＭＩＤＩデータは、前記音声処理部２２を介して各楽曲の演奏出力制御を行うための情報であり、複数種類の楽器にそれぞれ対応する複数のトラック（チャンネル）を備え、各トラックにおいて対応する楽器の演奏音の出力タイミングが定められている。
【００２２】
前記カラオケ装置１０に備えられたＬＡＮインターフェイス３６は、前記カラオケ装置１０をＬＡＮ接続端子５２を介してＬＡＮ（local area network）５４に接続するための接続器であり、そのように前記ＬＡＮ５４に接続されることで、前記カラオケ装置１０は、同様に前記ＬＡＮ５４に接続された前記カラオケ用入力装置６０等の他の機器との間で情報の送受信が可能とされる。前記カラオケ装置１０が設置される店舗等に複数台のカラオケ装置が備えられている場合において、同様に前記ＬＡＮ５４に接続されたカラオケ装置１０相互間において情報の送受信が可能とされる。
【００２３】
前記カラオケ装置１０は、前記ＬＡＮインターフェイス３６及び前記ＬＡＮ５４等を介して公衆電話回線、ＡＤＳＬ回線、或いは光ファイバ回線等から構成されるＷＷＷ（World Wide Web）等のインターネットに接続された通信回線に接続されている。前記カラオケ装置１０は、同様に前記通信回線に接続された他の機器との相互間でその通信回線を介して情報の通信が可能とされている。前記カラオケ装置１０は、好適には、前記通信回線を介して図示しないサーバ（ホスト装置）に接続されており、そのサーバから楽曲情報（カラオケデータ）、背景映像情報、及び曲間情報等のデジタルコンテンツ（Digital Contents）の配信を受け付けるものである。すなわち、前記カラオケ装置１０は、好適には、所定の通信回線に接続されてサーバとの間で各種情報の送受信を行う通信カラオケ装置であるが、斯かる通信回線に接続されない非通信型のカラオケ装置等にも本発明のカラオケ用入力装置は好適に適用される。
【００２４】
図２は、本発明の一実施例であるカラオケ用入力装置６０（以下、単に入力装置６０という）の構成を例示するブロック線図である。本実施例の入力装置６０は、所定の画像（映像）を表示させると共に、利用者の接触に応じて入力を行うためのタッチパネルディスプレイ６２を備えている。前記入力装置６０は、無線ＬＡＮ通信部８０を備え、その無線ＬＡＮ通信部８０により前記アクセスポイント５６及びＬＡＮ５４を介して前記カラオケ装置１０に無線接続されるようになっており、前記タッチパネルディスプレイ６２における入力操作に応じて、前記カラオケ装置１０に対して所定の楽曲の選曲入力をはじめとする各種入力操作を行う。前記入力装置６０は、換言すれば、前記タッチパネルディスプレイ６２における入力操作に対応する信号を前記カラオケ装置１０へ送信するカラオケ用遠隔操作装置（リモートコントロール装置）である。
【００２５】
図２に示すように、前記入力装置６０は、前記タッチパネルディスプレイ６２に所定の映像を表示させる表示装置６４と、その表示装置６４による表示を制御する表示制御部６６と、利用者の指や図示しない備え付けのペン等によるタッチパネルディスプレイ６２への接触により入力を行うタッチパネル６８と、そのタッチパネル６８による入力を制御する入力制御部７０と、中央演算処理装置であるＣＰＵ７２と、読出専用メモリであるＲＯＭ７４と、随時書込読出メモリであるＲＡＭ７６と、フラッシュＲＯＭ等の記憶部７８と、無線ＬＡＮ通信部８０とを、備えて構成されている。前記ＣＰＵ７２が、前記入力装置６０に備えられたコンピュータに相当する。前記入力装置６０は、好適には、前記タッチパネルディスプレイ６２を備えると共に、インターネット上における各種コンテンツをそのタッチパネルディスプレイ６２に表示させるウェブブラウザ機能等を備えた所謂タブレット端末である。前記入力装置６０は、好適には、公知のジャイロセンサを備えたものであり、重力方向を基準とする前記入力装置６０の姿勢（方向）に応じて、前記タッチパネルディスプレイ６２に表示される画面が９０°ずつ回転（すなわち、縦横回転）させられるように構成されている。
【００２６】
前記ＣＰＵ７２は、前記ＲＡＭ７６の一時記憶機能を利用しつつ前記ＲＯＭ７４に記憶された情報に基づいて情報処理を実行する所謂マイクロコンピュータであり、前記表示制御部６６を介して前記タッチパネルディスプレイ６２（表示装置６４）に所定の映像を表示させたり、その映像に基づく前記タッチパネルディスプレイ６２（タッチパネル６８）への接触により前記入力制御部７０を介して入力される入力信号を処理したり、その入力信号に基づき前記無線ＬＡＮ通信部８０等を介して前記カラオケ装置１０へ選曲入力をはじめとする入力送信を行ったりといった基本的な制御に加えて、後述する本実施例の表示制御及び送信制御を実行する。
【００２７】
前記入力装置６０は、例えば前記無線ＬＡＮ通信部８０等を介して前記カラオケ装置１０との間で通信を行うことにより、そのカラオケ装置１０に対応付けられる。すなわち、前記入力装置６０が、所定のカラオケ装置１０の入力装置として対応付けられる。そのようにして前記カラオケ装置１０に対応付けられた後、前記入力装置６０は、前記無線ＬＡＮ通信部８０等を介して前記カラオケ装置１０へ入力信号を送信するそのカラオケ装置１０の入力装置として機能する。すなわち、前記対応付け処理が行われた後、前記入力装置６０と前記カラオケ装置１０との間の通信は、前記ＬＡＮ５４及び前記アクセスポイント５６等を介したＬＡＮ通信により行われる。前記カラオケ装置１０との間で前記対応付け処理が行われた前記入力装置６０は、前記カラオケ装置１０との間で相互に情報の通信を行うことで、そのカラオケ装置１０の一部として機能する。
【００２８】
図３は、前記入力装置６０のＣＰＵ７２に備えられた制御機能の要部を例示する機能ブロック線図である。図３に示す表示制御手段９０及び送信制御手段９６は、好適には、前記入力装置６０のＣＰＵ７２に機能的に備えられている。換言すれば、本発明の一実施例であるプログラムにより、前記ＣＰＵ７２が図３に示す各制御手段として機能させられる。以下に説明する表示制御手段９０及び送信制御手段９６の実質的な処理は、前記ＬＡＮ５４及び通信回線を介して前記入力装置６０に接続されたサーバ等により実行されるものであってもよい。すなわち、表示制御手段９０及び送信制御手段９６による制御が他の装置により実行されると共に、前記入力装置６０が端末装置として機能する所謂クラウドとしての形態により実現されるものであってもよい。
【００２９】
前記表示制御手段９０は、前記入力装置６０における各種操作に係る表示制御を行う。すなわち、前記表示制御部６６を介して前記タッチパネルディスプレイ６２（表示装置６４）に、前記入力装置６０による入力操作に係る各種画像（映像）を表示させる。前記送信制御手段９６は、前記タッチパネルディスプレイ６２（タッチパネル６８）における入力操作に対応する信号を前記カラオケ装置１０へ送信する送信制御を行う。すなわち、前記タッチパネルディスプレイ６２に表示された画像に対応して所定の入力操作が行われた場合、その入力操作に対応する信号を前記カラオケ装置１０へ送信する。例えば、前記入力操作に対応する信号を、前記無線ＬＡＮ通信部８０、前記アクセスポイント５６、及び前記ＬＡＮ５４等を介して前記カラオケ装置１０へ送信する。或いは、前記入力操作に対応する信号を、前記ＬＡＮ５４に接続された図示しない通信回線を介してサーバへ送信し、そのサーバを介して前記カラオケ装置１０へ送信するものであってもよい。斯かる制御を実現するため、前記表示制御手段９０は、操作ボタン表示制御手段９２及び確認画面表示制御手段９４を備えている。前記送信制御手段９６は、ダイレクト送信制御手段９８を備えている。以下、これらの制御手段による制御について詳しく説明する。
【００３０】
前記操作ボタン表示制御手段９２は、前記カラオケ装置１０に対して所定の信号を送信するための入力操作に対応する操作ボタンを前記タッチパネルディスプレイ６２に表示させる。基本的には、前記操作ボタン表示制御手段９２により表示された操作ボタンに対応する入力操作が行われた場合、すなわち前記タッチパネルディスプレイ６２に表示された前記操作ボタンに対応する位置に、利用者の指や備え付けのペン等により接触する操作（以下、接触操作という）が行われた場合、前記送信制御手段９６により、前記操作ボタンに対応する信号が前記カラオケ装置１０に対して送信される。すなわち、前記操作ボタン表示制御手段９２は、前記送信制御手段９６により前記カラオケ装置１０に対して所定の信号を送信するための入力操作に対応する前記操作ボタンを、前記表示制御部６６を介して前記タッチパネルディスプレイ６２に表示させる。
【００３１】
図４は、前記操作ボタン表示制御手段９２により前記タッチパネルディスプレイ６２に表示される各種操作ボタンを含む画面を例示する図である。この図４に示すように、前記操作ボタン表示制御手段９２は、前記入力装置６０の操作主体となる利用者を切り替えるユーザ切替操作に対応するユーザ切替ボタン１００、複数の楽曲それぞれの選曲操作に対応する複数（図４では５つ）の選曲入力ボタン１０２ａ、１０２ｂ、１０２ｃ、１０２ｄ、１０２ｅ（以下、特に区別しない場合には単に選曲入力ボタン１０２という）、図４に示す画面の前（前時点）に前記タッチパネルディスプレイ６２に表示されていた画面に戻る操作に対応する戻るボタン１０４、所定のトップ画面を前記タッチパネルディスプレイ６２に表示させる操作に対応するトップボタン１０６、前記カラオケ装置１０の音量（スピーカ５０からの出力音量）を調節するための操作に対応する音量ボタン１０８、その時点において前記カラオケ装置１０により出力されている楽曲の演奏を停止させる演奏停止操作に対応する演奏停止ボタン１１０、その時点において前記カラオケ装置１０により出力されている演奏曲の音程（キー）乃至出力速度を調節するための演奏調節ボタン１１２、その時点において前記カラオケ装置１０により出力されている演奏曲の音程を元のキー（デフォルト値）に戻すための原曲キーボタン１１４、その時点において前記カラオケ装置１０により出力されている演奏曲を最初から歌い直す操作を行うための歌い直しボタン１１６、その時点において前記カラオケ装置１０により出力されている演奏曲を早送りする早送りボタン１１８等の各種操作ボタンを前記タッチパネルディスプレイ６２に表示させる。各操作ボタンに対して前記タッチパネル６８による入力操作（指や備え付けのペン等により各操作ボタンに対応する部分に接触する操作）が行われることにより、前記送信制御手段９６により前記カラオケ装置１０に対して各操作ボタンに対応する信号が送信されるようになっている。
【００３２】
前記表示制御手段９０及び前記送信制御手段９６は、前記タッチパネルディスプレイ６２に表示された前記操作ボタンに対する入力操作が行われた場合、その操作ボタンに対する接触操作の継続時間に応じて、前記送信ボタンの表示態様及びその操作ボタンに対応する信号の送信態様を変更する。前記ダイレクト送信制御手段９８は、前記タッチパネルディスプレイ６２において、前記操作ボタンに対して所定時間（例えば１〜２秒）以上継続する接触操作すなわち所謂長押し操作が行われた場合には、前記操作ボタンに対応する信号を前記カラオケ装置１０へ送信可能な状態を成立させる。すなわち、後述する確認画面を前記タッチパネルディスプレイ６２に表示させることなく、前記操作ボタンに対応する信号を前記カラオケ装置１０へダイレクトに送信可能な状態を成立させる。
【００３３】
前記操作ボタン表示制御手段９２は、好適には、前記タッチパネルディスプレイ６２において、前記操作ボタンに対して前記所定時間以上継続する接触操作が行われた場合には、その操作ボタンの表示態様を変更する。例えば、前記タッチパネル６８に対する接触部位（利用者の指等）の移動に伴って、その接触に係る前記操作ボタンを移動させる。すなわち、前記タッチパネル６８に対する接触が維持されたままそのタッチパネル６８内を移動する接触部位の移動に追従して前記操作ボタンを移動させる。或いは、接触に係る前記操作ボタンを振動させる。斯かる表示態様の変更により、前記操作ボタンに対応して以下に詳述するダイレクト送信が可能であることを利用者に知らせる（認識させる）ことができる。
【００３４】
前記ダイレクト送信制御手段９８は、前記タッチパネルディスプレイ６２において、前記操作ボタンに対して前記所定時間以上継続する接触操作が行われ、且つその操作に継続して前記操作ボタンに対する所定の操作が行われた場合には、前記操作ボタンに対応する信号を前記カラオケ装置１０へ送信する。好適には、前記タッチパネルディスプレイ６２において、前記操作ボタンに対して前記所定時間以上継続する接触操作が行われ、且つその操作に継続して前記操作ボタンに対する接触を維持したまま前記操作ボタンを所定の方向へスライド移動させる操作（以下、フリック操作という）が行われた場合には、前記操作ボタンに対応する信号を前記カラオケ装置へ送信する。前記フリック操作が行われた場合、好適には、利用者の指等の接触部位が前記タッチパネルディスプレイ６２から離れた後も、あたかも慣性に従うがごとく前記操作ボタンは前記所定の方向に移動させられ、前記タッチパネルディスプレイ６２の画面の外へ消えてゆくようにその表示が制御される。前記所定の方向は、前記タッチパネルディスプレイ６２に表示された画面に対する相対的な方向であり、何れの方向であってもよいが、好適には画面上方向すなわち後述する図５における紙面上方向である。或いは、前記入力装置６０に対する前記カラオケ装置１０の相対的な方向を検出（判定）し、そのカラオケ装置１０が存在する方向に前記フリック操作が行われた場合に、前記操作ボタンに対応する信号を前記カラオケ装置へ送信するものであってもよい。
【００３５】
前記ダイレクト送信制御手段９８は、前記タッチパネルディスプレイ６２において、前記操作ボタンに対して所定時間以上継続する接触操作が行われた場合には、前記操作ボタンに対応する信号を前記カラオケ装置１０へ送信するものであってもよい。すなわち、前記タッチパネルディスプレイ６２において、前記操作ボタンに対して所定時間以上継続する接触操作が行われた場合には、その後の操作を待つことなく、前記操作ボタンに対応する信号を前記カラオケ装置１０へ送信するものであってもよい。
【００３６】
前記確認画面表示制御手段９４は、前記タッチパネルディスプレイ６２において、前記操作ボタンに対して前記所定時間未満の接触操作が行われた場合には、前記操作ボタンに対応する信号を前記カラオケ装置１０へ送信するか否かを確認する確認画面を前記タッチパネルディスプレイ６２に表示させる。前記所定時間未満の接触操作とは、前記タッチパネルディスプレイ６２に対する接触操作が開始されてからその接触操作が解除される（接触部位が離れる）までの時間が前記所定時間未満であるものを言い、換言すれば、前記所定時間以上は継続しない接触操作である。前記確認画面が表示された状態において、前記タッチパネルディスプレイ６２を介して所定の操作が行われた場合、前記操作ボタンに対応する信号を前記カラオケ装置１０へ送信する。
【００３７】
以下、操作ボタンとしての前記選曲入力ボタン１０２の表示制御及びその選曲入力ボタン１０２に対応する送信制御に本発明が適用された例について、図５〜図８を用いて具体的に説明する。ここで、説明の便宜上、図５〜図７においては前記タッチパネルディスプレイ６２内に前記選曲入力ボタン１０２のみが表示された様子を図示している。
【００３８】
図５は、前記タッチパネルディスプレイ６２に表示された、複数の前記選曲入力ボタン１０２を含む画面を例示している。この図５においては、公知の歌手名検索の結果として、歌手名「浜岡ゆうな」に対応する複数の楽曲が検索され、該当曲リストとして前記タッチパネルディスプレイ６２に表示された例を示している。すなわち、歌手名を同じくし且つそれぞれ異なる楽曲に対応する複数の選曲入力ボタン１０２ａ〜１０２ｅが、前記タッチパネルディスプレイ６２（タッチパネル６８）による選択入力可能にそのタッチパネルディスプレイ６２（表示装置６４）に表示されている。好適には、図５に示すように複数の前記選曲入力ボタン１０２を含む画面が前記タッチパネルディスプレイ６２に表示されている場合、或いは歌手名検索等の検索画面が表示されている場合には、前記タッチパネルディスプレイ６２に表示される画面が９０°ずつ回転させられる制御が停止される。すなわち、重力方向を基準とする前記入力装置６０の姿勢（方向）に応じた画面の回転は非実行とされる。
【００３９】
前記ダイレクト送信制御手段９８は、前記タッチパネルディスプレイ６２において、前記選曲入力ボタン１０２に対して所定時間（例えば１〜２秒）以上継続する接触操作が行われた場合には、前記選曲入力ボタン１０２に対応する楽曲の選曲信号を前記カラオケ装置１０へ送信可能な状態を成立させる。例えば、前記タッチパネルディスプレイ６２において、利用者の指８８等により前記選曲入力ボタン１０２ｃに対して所定時間以上継続する接触操作が行われた場合には、図６に示すように、前記タッチパネル６８に対する利用者の指８８等の接触部位の移動に伴って、その接触に係る前記選曲入力ボタン１０２ｃを移動させる状態が成立させられる。この状態においては、図６に示すように、前記選曲入力ボタン１０２ｃがあたかも画面から剥離（遊離）したかのように、前記タッチパネル６８に対する利用者の指８８等の接触部位の移動に追従して移動させられる。更に、図７に示すように、斯かる操作に継続して前記選曲入力ボタン１０２ｃに対する接触を維持したままその選曲入力ボタン１０２ｃを所定の方向（例えば、図７に破線矢印で示す方向）へスライド移動させる前記フリック操作が行われた場合には、後述する図８に示すような確認画面を前記タッチパネルディスプレイ６２に表示させることなく、前記選曲入力ボタン１０２ｃに対応する楽曲の選曲信号を前記カラオケ装置１０へ送信（ダイレクト送信）する。選曲番号を受信した前記カラオケ装置１０の側では、その選曲番号に対応する楽曲を前記ＲＡＭ１６等に設けられた演奏待ち曲リスト（予約曲テーブル）に登録する。
【００４０】
図５〜図７においては、単一の前記選曲入力ボタン１０２ｃに係るダイレクト送信に係る制御を例示しているが、前記ダイレクト送信制御手段９８は、複数の前記選曲入力ボタン１０２に対応するダイレクト送信を一挙に実行し得るものであってもよい。例えば、図５に示すように、前記タッチパネルディスプレイ６２に複数の前記選曲入力ボタン１０２が表示された状態において、前記タッチパネルディスプレイ６２に対する所定の操作（所謂ドラッグ操作或いは所定の選択操作等）により複数の前記選曲入力ボタン１０２の選択が受け付けられる。そのようにして複数の前記選曲入力ボタン１０２の選択が受け付けられた状態において、選択された選曲入力ボタン１０２のうち何れかの選曲入力ボタン１０２に対して所定時間以上継続する接触操作が行われた場合には、前述のようにそれら複数の選曲入力ボタン１０２の表示態様が変更される。その状態から前記フリック操作等の所定の操作が行われることで、前記複数の選曲入力ボタン１０２に対応する楽曲の選曲番号が前記カラオケ装置１０へ一挙に送信（ダイレクト送信）される。
【００４１】
前記確認画面表示制御手段９４は、前記タッチパネルディスプレイ６２において、前記選曲入力ボタン１０２に対して前記所定時間未満の接触操作が行われた場合には、前記選曲入力ボタン１０２に対応する楽曲の選曲信号を前記カラオケ装置１０へ送信するか否かを確認する確認画面を前記タッチパネルディスプレイ６２に表示させる。図８は、前記選曲入力ボタン１０２に対して前記所定時間未満の接触操作が行われた場合に、前記タッチパネルディスプレイ６２に表示される確認画面を例示する図である。この図８に示すように、前記確認画面には、対象となる楽曲すなわち前記所定時間未満の接触操作に係る選曲入力ボタン１０２に対応する楽曲の曲名及び歌手名等を示すテキストが表示されると共に、選曲確認のための送信実行ボタン１２０及び送信中止ボタン１２２が表示される。前記確認画面において、前記送信実行ボタン１２０に対する接触操作が行われた場合、前記接触操作に係る選曲入力ボタン１０２に対応する楽曲の選曲信号が前記カラオケ装置１０へ送信される。前記送信中止ボタンに対する接触操作が行われた場合、前記選曲番号の送信を行うことなく元の画面（例えば、図５に示す画面）に復帰させられる。選曲番号を受信した前記カラオケ装置１０の側では、前記ダイレクト送信に係る制御と同様に、受信された選曲番号に対応する楽曲を前記ＲＡＭ１６等に設けられた演奏待ち曲リスト（予約曲テーブル）に登録する。
【００４２】
以上、操作ボタンとしての前記選曲入力ボタン１０２の表示制御及びその選曲入力ボタン１０２に対応する送信制御に本発明が適用された例について説明したが、前記操作ボタンは前記選曲入力ボタン１０２には限定されず、他の操作ボタンの表示制御及びその操作ボタンに対応する送信制御にも、本発明は好適に適用される。すなわち、操作ボタンとしての前記演奏停止ボタン１１０の表示制御及びその演奏停止ボタン１１０に対応する送信制御にも、本発明は好適に適用される。斯かる態様において、前記ダイレクト送信制御手段９８は、前記タッチパネルディスプレイ６２において、前記演奏停止ボタン１１０に対して前記所定時間以上継続する接触操作が行われた場合には、前記カラオケ装置１０により出力されている楽曲の演奏を停止させる演奏停止信号を前記カラオケ装置１０へ送信可能な状態を成立させる。例えば、前記タッチパネル６８に対する接触部位（利用者の指等）の移動に伴って、その接触に係る前記演奏停止ボタン１１０を移動させる状態を成立させる。更に、斯かる状態において、前記フリック操作等の所定の操作が行われた場合には、前記演奏停止信号を前記カラオケ装置１０へ送信（ダイレクト送信）する。前記確認画面表示制御手段９４は、前記タッチパネルディスプレイ６２において、前記演奏停止ボタン１１０に対して前記所定時間未満の接触操作が行われた場合には、前記演奏停止信号を前記カラオケ装置１０へ送信するか否かを確認する確認画面を前記タッチパネルディスプレイ６２に表示させる。前記確認画面において、前記演奏停止信号を送信するための所定の接触操作が行われた場合、前記演奏停止信号を前記カラオケ装置１０へ送信する。
【００４３】
操作ボタンとしての前記歌い直しボタン１１６の表示制御及びその歌い直しボタン１１６に対応する送信制御にも、本発明は好適に適用される。斯かる態様において、前記ダイレクト送信制御手段９８は、前記タッチパネルディスプレイ６２において、前記歌い直しボタン１１６に対して前記所定時間以上継続する接触操作が行われた場合には、前記カラオケ装置１０により出力されている楽曲の演奏を再度演奏開始時点から開始させる歌い直し信号を前記カラオケ装置１０へ送信可能な状態を成立させる。例えば、前記タッチパネル６８に対する接触部位（利用者の指等）の移動に伴って、その接触に係る前記歌い直しボタン１１６を移動させる状態を成立させる。更に、斯かる状態において、前記フリック操作等の所定の操作が行われた場合には、前記歌い直し信号を前記カラオケ装置１０へ送信（ダイレクト送信）する。前記確認画面表示制御手段９４は、前記タッチパネルディスプレイ６２において、前記歌い直しボタン１１６に対して前記所定時間未満の接触操作が行われた場合には、前記歌い直し信号を前記カラオケ装置１０へ送信するか否かを確認する確認画面を前記タッチパネルディスプレイ６２に表示させる。前記確認画面において、前記歌い直し信号を送信するための所定の接触操作が行われた場合、前記歌い直し信号を前記カラオケ装置１０へ送信する。
【００４４】
図９は、前記入力装置６０のＣＰＵ７２により実行される本実施例の表示制御及び送信制御の一例の要部を説明するフローチャートであり、繰り返し実行されるものである。
【００４５】
先ず、ステップ（以下、ステップを省略する）Ｓ１において、例えば歌手名検索或いは曲名検索の結果として、図５に示すように複数の前記選曲入力ボタン１０２、前記演奏停止ボタン１１０、及び前記歌い直しボタン１１６等の操作ボタンを含む画面が前記タッチパネルディスプレイ６２に表示される。次に、Ｓ２において、前記タッチパネル６８を介して前記操作ボタンに対する接触操作が行われたか否かが判断される。このＳ２の判断が否定される場合には、Ｓ１３以下の処理が実行されるが、Ｓ２の判断が肯定される場合には、Ｓ３において、前記操作ボタンに対する接触開始から所定時間以上継続する接触操作が行われたか否かが判断される。このＳ３の判断が否定される場合には、Ｓ７以下の処理が実行されるが、Ｓ３の判断が肯定される場合には、Ｓ４において、前記操作ボタンに対応する信号を、前記タッチパネル６８を介しての前記フリック操作により前記カラオケ装置１０へ送信可能な状態が成立させられた後、Ｓ５以下の処理が実行される。
【００４６】
Ｓ５においては、前記タッチパネル６９を介して、前記操作ボタンに対して前記フリック操作が行われたか否かが判断される。すなわち、前記操作ボタンに対する接触を維持したまま前記操作ボタンを所定の方向へスライド移動させる操作が行われたか否かが判断される。このＳ５の判断が否定される場合には、Ｓ１１以下の処理が実行されるが、Ｓ５の判断が肯定される場合には、Ｓ６において、前記操作ボタンに対応する信号が前記無線ＬＡＮ通信部８０等を介して前記カラオケ装置１０へ送信された後、それをもって本ルーチンが終了させられる。Ｓ７においては、前記操作ボタンに対応する信号を前記カラオケ装置１０へ送信するか否かを確認する確認画面が前記タッチパネルディスプレイ６２に表示させられる。次に、Ｓ８において、Ｓ７にて表示された確認画面において、前記操作ボタンに対応する信号を前記カラオケ装置１０へ送信するための送信ボタンに対する接触操作が行われたか否かが判断される。このＳ８の判断が肯定される場合には、Ｓ６以下の処理が実行されるが、Ｓ８の判断が否定される場合には、Ｓ９において、前記タッチパネル６８を介してその他の操作すなわち前記送信ボタンに対する接触操作以外の操作が行われたか否かが判断される。このＳ９の判断が否定される場合には、Ｓ８以下の処理が再び実行されるが、Ｓ９の判断が肯定される場合には、Ｓ１０において、前記タッチパネル６８を介して行われたその他の操作に対応する処理が実行された後、それをもって本ルーチンが終了させられる。
【００４７】
Ｓ１１においては、前記タッチパネル６８を介してその他の操作すなわち前記フリック操作以外の操作が行われたか否かが判断される。このＳ１１の判断が否定される場合には、Ｓ５以下の処理が再び実行されるが、Ｓ１１の判断が肯定される場合には、Ｓ１２において、前記タッチパネル６８を介して行われたその他の操作に対応する処理が実行された後、それをもって本ルーチンが終了させられる。Ｓ１３においては、前記タッチパネル６８を介してその他の操作すなわち前記操作ボタンに対する接触操作以外の操作が行われたか否かが判断される。このＳ１３の判断が否定される場合には、Ｓ２以下の処理が再び実行されるが、Ｓ１３の判断が肯定される場合には、Ｓ１４において、前記タッチパネル６８を介して行われたその他の操作に対応する処理が実行された後、それをもって本ルーチンが終了させられる。
【００４８】
以上の制御において、Ｓ１、Ｓ４、及びＳ７が前記表示制御手段９０の動作に、Ｓ１及びＳ４が前記操作ボタン表示制御手段９２の動作に、Ｓ７が前記確認画面表示制御手段９４の動作に、Ｓ６が前記送信制御手段９６の動作に、Ｓ４及びＳ６が前記ダイレクト送信制御手段９８の動作に、それぞれ対応する。
【００４９】
本実施例によれば、操作ボタンを前記タッチパネルディスプレイ６２に表示させる操作ボタン表示制御手段９２（Ｓ１及びＳ４）と、前記タッチパネルディスプレイ６２において、前記操作ボタンに対して所定時間以上継続する接触操作が行われた場合には、前記操作ボタンに対応する信号を前記カラオケ装置１０へ送信可能な状態を成立させるダイレクト送信制御手段９８（Ｓ４及びＳ６）と、前記タッチパネルディスプレイ６２において、前記操作ボタンに対して前記所定時間未満の接触操作が行われた場合には、前記操作ボタンに対応する信号を前記カラオケ装置１０へ送信するか否かを確認する確認画面を前記タッチパネルディスプレイ６２に表示させる確認画面表示制御手段９４（Ｓ７）とを、備えたものであることから、利用者の意図を反映する所謂長押し操作が行われたか否かに応じて、前記確認画面を表示させることなく入力操作に対応する信号の送信を行う制御及び前記確認画面を表示させて入力操作に対応する信号を送信するか否かを確認する制御の何れかを選択的に実行することができる。これにより、利用者の意図しない操作に対応する信号が前記カラオケ装置１０へ送信されることを抑制できる。すなわち、誤動作を抑制しつつ入力操作に係る画面遷移を低減する入力装置６０を提供することができる。
【００５０】
前記操作ボタンは、所定の楽曲の選曲操作に対応する選曲入力ボタン１０２であり、前記ダイレクト送信制御手段９８は、前記タッチパネルディスプレイ６２において、前記選曲入力ボタン１０２に対して所定時間以上継続する接触操作が行われた場合には、前記選曲入力ボタン１０２に対応する楽曲の選曲信号を前記カラオケ装置１０へ送信可能な状態を成立させるものであり、前記確認画面表示制御手段９４は、前記タッチパネルディスプレイ６２において、前記選曲入力ボタン１０２に対して前記所定時間未満の接触操作が行われた場合には、前記選曲入力ボタン１０２に対応する楽曲の選曲信号を前記カラオケ装置１０へ送信するか否かを確認する確認画面を前記タッチパネルディスプレイ６２に表示させるものであるため、利用者の意図しない操作に応じた楽曲の選曲信号が前記カラオケ装置１０へ送信されることを抑制しつつ、楽曲の選曲操作に係る画面遷移を低減することができる。
【００５１】
前記操作ボタンは、前記カラオケ装置１０により出力されている楽曲の演奏を停止させる演奏停止操作に対応する演奏停止ボタン１１０であり、前記ダイレクト送信制御手段９８は、前記タッチパネルディスプレイ６２において、前記演奏停止ボタン１１０に対して所定時間以上継続する接触操作が行われた場合には、前記カラオケ装置１０により出力されている楽曲の演奏を停止させる演奏停止信号を前記カラオケ装置１０へ送信可能な状態を成立させるものであり、前記確認画像表示制御手段９４は、前記タッチパネルディスプレイ６２において、前記演奏停止ボタン１１０に対して前記所定時間未満の接触操作が行われた場合には、前記カラオケ装置１０により出力されている楽曲の演奏を停止させる演奏停止信号を前記カラオケ装置１０へ送信するか否かを確認する確認画面を前記タッチパネルディスプレイ６２に表示させるものであるため、利用者の意図しない操作に応じた演奏停止信号が前記カラオケ装置１０へ送信されることを抑制しつつ、演奏停止操作に係る画面遷移を低減することができる。
【００５２】
前記操作ボタンは、前記カラオケ装置１０により出力されている楽曲の演奏を再度演奏開始時点から開始させる歌い直し操作に対応する歌い直しボタン１１６であり、前記ダイレクト送信制御手段９８は、前記タッチパネルディスプレイ６２において、前記歌い直しボタン１１６に対して所定時間以上継続する接触操作が行われた場合には、前記カラオケ装置１０により出力されている楽曲の演奏を再度演奏開始時点から開始させる歌い直し信号を前記カラオケ装置１０へ送信可能な状態を成立させるものであり、前記確認画面表示制御手段９４は、前記タッチパネルディスプレイ６２において、前記歌い直しボタン１１６に対して前記所定時間未満の接触操作が行われた場合には、前記カラオケ装置１０により出力されている楽曲の演奏を再度演奏開始時点から開始させる歌い直し信号を前記カラオケ装置１０へ送信するか否かを確認する確認画面を前記タッチパネルディスプレイ６２に表示させるものであるため、利用者の意図しない操作に応じた歌い直し信号が前記カラオケ装置１０へ送信されることを抑制しつつ、歌い直し操作に係る画面遷移を低減することができる。
【００５３】
前記ダイレクト送信制御手段９８は、前記タッチパネルディスプレイ６２において、前記操作ボタンに対して所定時間以上継続する接触操作が行われ、且つその操作に継続して前記操作ボタンに対する接触を維持したまま前記操作ボタンを所定の方向へスライド移動させる操作が行われた場合には、前記操作ボタンに対応する信号を前記カラオケ装置１０へ送信するものであるため、前記操作ボタンに対する所謂長押しが行われた後は、直感的な操作によりその操作に対応する信号を前記カラオケ装置１０へ送信することができる。
【００５４】
本実施例によれば、前記入力装置６０に備えられたコンピュータとしての前記ＣＰＵ７２を、操作ボタンを前記タッチパネルディスプレイ６２に表示させる操作ボタン表示制御手段９２、前記タッチパネルディスプレイ６２において、前記操作ボタンに対して所定時間以上継続する接触操作が行われた場合には、前記操作ボタンに対応する信号を前記カラオケ装置１０へ送信可能な状態を成立させるダイレクト送信制御手段９８、及び、前記タッチパネルディスプレイ６２において、前記操作ボタンに対して前記所定時間未満の接触操作が行われた場合には、前記操作ボタンに対応する信号を前記カラオケ装置１０へ送信するか否かを確認する確認画面を前記タッチパネルディスプレイ６２に表示させる確認画面表示制御手段９４として機能させることを特徴とするプログラムであるため、利用者の意図を反映する所謂長押し操作が行われたか否かに応じて、前記確認画面を表示させることなく入力操作に対応する信号の送信を行う制御及び前記確認画面を表示させて入力操作に対応する信号を送信するか否かを確認する制御の何れかを選択的に実行することで、利用者の意図しない操作に対応する信号が前記カラオケ装置１０へ送信されることを抑制できる。すなわち、誤動作を抑制しつつ入力操作に係る画面遷移を低減するプログラムを提供することができる。
【００５５】
以上、本発明の好適な実施例を図面に基づいて詳細に説明したが、本発明はこれらの実施例に限定されるものではなく、更に別の態様においても実施される。
【００５６】
例えば、前述の実施例においては、前記カラオケ装置１０とは別体の装置として設けられた入力装置６０に本発明が適用された例について説明したが、本発明はこれに限定されるものではなく、前記カラオケ装置１０と一体的に設けられた入力装置にも、本発明は好適に適用される。例えば、前記カラオケ装置１０の入力装置としての前記タッチパネルディスプレイ３０に本発明が適用されたものであってもよい。或いは、前記カラオケ装置１０の入力装置として機能する利用者のパーソナル端末である携帯電話機やタブレット端末等にも、本発明は好適に適用される。
【００５７】
前述の実施例において、前記ダイレクト送信制御手段９８は、前記タッチパネルディスプレイ６２において、前記選曲入力ボタン１０２に対して所定時間以上継続する接触操作が行われた場合には、前記タッチパネル６８に対する利用者の指８８等の接触部位の移動に伴って、その接触に係る前記選曲入力ボタン１０２を移動させる状態を成立させるものであったが、本発明における表示態様の変更はこれに限定されない。例えば、前記選曲入力ボタン１０２に対して所定時間以上継続する接触操作が行われた場合には、その選曲入力ボタン１０２の色及び大きさの少なくとも一方を変化させることにより、前記選曲入力ボタン１０２に対応してダイレクト送信が可能であることを利用者に知らせるものであってもよい。或いは、前記選曲入力ボタン１０２に対して所定時間以上継続する接触操作が行われた場合には、前記入力装置６０自体を振動させたり、その入力装置６０から所定の音を出力させること等により、前記選曲入力ボタン１０２に対応してダイレクト送信が可能であることを利用者に知らせるものであってもよい。
【００５８】
前述の実施例において、前記ダイレクト送信制御手段９８は、前記選曲入力ボタン１０２に対して所定時間以上継続する接触操作が行われた後、前記選曲入力ボタン１０２に対する接触を維持したままその選曲入力ボタン１０２を所定の方向へスライド移動させる前記フリック操作が行われた場合には、前記選曲入力ボタン１０２に対応してダイレクト送信を行うものであったが、本発明におけるダイレクト送信を実行する操作はこれに限定されない。例えば、前記選曲入力ボタン１０２に対して所定時間以上継続する接触操作が行われた後、重力方向に対して前記入力装置６０を所定角度以上傾ける操作が行われ、ジャイロセンサによりその傾きが検出された場合には、前記選曲入力ボタン１０２に対応してダイレクト送信を行うものであってもよい。
【００５９】
その他、一々例示はしないが、本発明はその趣旨を逸脱しない範囲内において種々の変更が加えられて実施されるものである。
【符号の説明】
【００６０】
１０：カラオケ装置、６０：カラオケ用入力装置、６２：タッチパネルディスプレイ、９０：表示制御手段、９２：操作ボタン表示制御手段、９８：ダイレクト送信制御手段、１０２：選曲入力ボタン（操作ボタン）、１１０：演奏停止ボタン（操作ボタン）、１１６：歌い直しボタン（操作ボタン）
【図１】
0006416028.tif 000002
【図２】
0006416028.tif 000003
【図３】
0006416028.tif 000004
【図４】
0006416028.tif 000005
【図５】
0006416028.tif 000006
【図６】
0006416028.tif 000007
【図７】
0006416028.tif 000008
【図８】
0006416028.tif 000009
【図９】
0006416028.tif 000010